(57)【要約】【課題】筒状体の内側に配設された対象物に対し、十分なオイル供給量を確保する。【解決手段】オイル供給構造２０は、オイルを貯留する貯留部１８を有するケーシング１５と、ケーシング１５に対して回転可能に支持され、貯留部１８に貯留されているオイル内に部分的に浸漬される筒状体２４と、筒状体２４の内側に配設され、オイルの供給対象である対象物と、筒状体２４の周面部２４Ｆに貫設された第一開口４０と、筒状体２４が所定の回転方向Ｒに回転しているときに、第一開口４０にオイルを導く第一誘導構造５０と、を備える。【選択図】図３
2020159366.tif 000002
【特許請求の範囲】
【請求項１】
オイルを貯留する貯留部を有するケーシングと、
前記ケーシングに対して回転可能に支持され、前記貯留部に貯留されているオイル内に部分的に浸漬される筒状体と、
前記筒状体の内側に配設され、前記オイルの供給対象である対象物と、
前記筒状体の周面部に貫設された第一開口と、
前記筒状体が所定の回転方向に回転しているときに、前記第一開口に前記オイルを導く第一誘導構造と、を備える
ことを特徴とする、オイル供給構造。
【請求項２】
前記第一誘導構造は、前記筒状体の外周面であって前記第一開口よりも前記回転方向の後側に突設され、前記貯留部から前記オイルを掬い上げて前記第一開口に導くブレード部である
ことを特徴とする、請求項１に記載のオイル供給構造。
【請求項３】
前記第一誘導構造は、前記貯留部内であって前記筒状体と上下方向に重なる位置に配置され、前記貯留部の底面と前記筒状体の外周面との間の間隔を狭めて前記筒状体の回転に伴う前記オイルの流れを妨げる隆起部である
ことを特徴とする、請求項１に記載のオイル供給構造。
【請求項４】
前記第一開口は、前記筒状体の外周面側の縁部が前記筒状体の内周面側の縁部よりも前記回転方向の前側に位置している
ことを特徴とする、請求項３に記載のオイル供給構造。
【請求項５】
前記筒状体には、前記周面部に対して交差する方向に延在する端面部が設けられ、
前記端面部に貫設された第二開口と、
前記筒状体が前記回転方向に回転しているときに、前記第二開口に前記オイルを導く第二誘導構造と、を備える
ことを特徴とする、請求項１〜４のいずれか１項に記載のオイル供給構造。
【請求項６】
前記対象物は、車両に搭載された歯車装置であり、
前記筒状体は、前記歯車装置に含まれる内歯車と一体のアニュラス部である
ことを特徴とする、請求項１〜５のいずれか１項に記載のオイル供給構造。
【発明の詳細な説明】
【技術分野】
【０００１】
本発明は、対象物にオイルを供給するための構造であって、例えば車両に搭載された歯車装置に好適なオイル供給構造に関する。
【背景技術】
【０００２】
従来、車両の駆動源（エンジンやモータ）からの動力を伝達する動力伝達機構として、多数の歯車からなる歯車装置を備え、駆動源からの動力を前後輪や左右輪に分配したり、回転速度を変速させたりする装置が存在する。例えば、遊星歯車機構を内蔵し、左右輪の駆動トルクの配分を変更できるデフ装置（ディファレンシャル装置）が知られる。このような装置では、作動に伴い発熱する部品があれば適宜冷却が必要であり、また、歯車やシャフトといった回転要素を支持する軸受が滑らかに動作するように潤滑が必要とされる。このため、こういった装置には、冷却及び潤滑用のオイルを供給するための構造が設けられる。
【０００３】
例えば、下記特許文献１には、多数の歯車を収容したケーシングの下部にオイルを貯留する貯留部が設けられるとともに、貯留部内のオイルに歯車の一部分が浸漬されており、歯車の回転によりオイルをかき上げる構造が開示されている。この構造は、歯車の回転に伴う遠心力でオイルを飛ばすことで、ケーシング内壁に設けたオイル経路にオイルを供給して、オイル経路を介して軸受等の対象物にオイルを供給するものである。なお、特許文献１では、オイルを供給するための構造が、遊星歯車式の差動装置を備えた車両用発進アシスト装置に適用されている。
【先行技術文献】
【特許文献】
【０００４】
【特許文献１】特許第３６７８９０４号公報
【発明の概要】
【発明が解決しようとする課題】
【０００５】
ところで、上記の特許文献１のように、ケーシング内に遊星歯車機構を含む歯車装置が収容された構成では、各回転要素（歯車，シャフト）やこれを支持する軸受に対して十分なオイルを供給することが難しい場合がある。例えば、遊星歯車機構に着目すると、リングギヤは円筒形状の筒状体（いわゆるアニュラス）の内面側にピニオンギヤと噛合する歯を有し、筒状体の内側にキャリアやサンギヤ等が配設されるが、筒状体の軸方向寸法が大きい場合には、リングギヤの回転に伴う遠心力でオイルを飛ばしても、筒状体の内側にはオイルが導かれない。
【０００６】
このため、筒状体の内側にオイルを供給すべき対象物（例えばサンギヤやキャリアを支持する軸受）が配設される構成に、上記の特許文献１に記載されたオイル供給用の構造を適用しても、オイルの供給量が十分に確保されないおそれがある。なお、このような課題は、筒状体がリングギヤである場合に限らず、筒状体の内側にオイルを供給すべき対象物が配設される構成において、同様に生じうる。
【０００７】
本件のオイル供給構造は、このような課題に鑑み案出されたもので、筒状体の内側に配設された対象物に対し、十分なオイル供給量を確保することを目的の一つとする。なお、この目的に限らず、後述する発明を実施するための形態に示す各構成により導かれる作用効果であって、従来の技術によっては得られない作用効果を奏することも本件の他の目的である。
【課題を解決するための手段】
【０００８】
（１）ここで開示するオイル供給構造は、オイルを貯留する貯留部を有するケーシングと、前記ケーシングに対して回転可能に支持され、前記貯留部に貯留されているオイル内に部分的に浸漬される筒状体と、前記筒状体の内側に配設され、前記オイルの供給対象である対象物と、前記筒状体の周面部に貫設された第一開口と、前記筒状体が所定の回転方向に回転しているときに、前記第一開口に前記オイルを導く第一誘導構造と、を備えることを特徴とする。
【０００９】
（２）前記第一誘導構造は、前記筒状体の外周面であって前記第一開口よりも前記回転方向の後側に突設され、前記貯留部から前記オイルを掬い上げて前記第一開口に導くブレード部であることが好ましい。
【００１０】
（３）あるいは、前記第一誘導構造は、前記貯留部内であって前記筒状体と上下方向に重なる位置に配置され、前記貯留部の底面と前記筒状体の外周面との間の隙間を狭めて前記筒状体の回転に伴う前記オイルの流れを妨げる隆起部であることが好ましい。
（４）この場合、前記第一開口は、前記筒状体の外周面側の縁部が前記筒状体の内周面側の縁部よりも前記回転方向の前側に位置していることが好ましい。
【００１１】
（５）前記筒状体には、前記周面部に対して交差する方向に延在する端面部が設けられることが好ましい。この場合、前記オイル供給構造は、前記端面部に貫設された第二開口と、前記筒状体が前記回転方向に回転しているときに、前記第二開口に前記オイルを導く第二誘導構造と、を備えることが好ましい。
（６）前記対象物は車両に搭載された歯車装置であり、前記筒状体は、前記歯車装置に含まれる内歯車と一体のアニュラス部であることが好ましい。
【発明の効果】
【００１２】
開示のオイル供給構造によれば、筒状体の周面部に設けた第一開口から筒状体の内側にオイルを供給できるため、筒状体の内側にオイルの供給対象である対象物（例えば歯車装置）が配設された構造において、この対象物にオイルが供給されやすくなる。このため、筒状体の内側に配設された対象物に対し、十分なオイル供給量を確保することができ、対象物の潤滑性能や冷却性能を向上できる。
【図面の簡単な説明】
【００１３】
【図１】第一実施形態に係るオイル供給構造を備えた駆動装置における、オイル供給構造周辺の縦断面図である。
【図２】第一実施形態に係るオイル供給構造を示す模式的な斜視図である。
【図３】図２のＡ−Ａ矢視断面図である。
【図４】第二実施形態に係るオイル供給構造を示す模式的な斜視図である。
【図５】図４のＢ−Ｂ矢視断面図である。
【発明を実施するための形態】
【００１４】
図面を参照して、実施形態としてのオイル供給構造について説明する。以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１５】
［１．第一実施形態の構成］
本実施形態のオイル供給構造２０（以下「供給構造２０」という）を図１に示す。この供給構造２０は、例えば車両の左右輪駆動装置１０（単に「駆動装置１０」という）に搭載される。以下の説明では、供給構造２０を含む駆動装置１０が車両に搭載された状態を基準に、重力の作用方向を下方とし、この反対方向を上方として上下方向を定める。また、車両の進行方向を前方とし、左右方向を定める。
【００１６】
図１では、駆動装置１０のうち、供給構造２０に関連する要部（供給構造２０の周辺）を拡大して示している。この駆動装置１０は、例えばＡＹＣ（アクティブヨーコントロール）機能を持った車両用のディファレンシャル装置であり、左右輪の間に介装される。ＡＹＣ機能とは、左右駆動輪における駆動力（駆動トルク）の分担割合を主体的に制御することでヨーモーメントの大きさを調節し、これを以て車両のヨー方向の姿勢を安定させる機能である。
【００１７】
図１に示すように、駆動装置１０には、歯車装置３が内蔵される。歯車装置３は、車両の左右輪に駆動トルクを伝達するための左右の出力軸１３の間に介装されており、左右輪を駆動する二つのモータ（図示せず）のトルク差を増幅して左右輪の各々に伝達する機能を持つ。歯車装置３は、例えば、サンギヤ３Ｓ１及びリングギヤ３Ｒ（内歯車）が入力要素であり、サンギヤ３Ｓ２及びキャリア３Ｃが出力要素であるダブルピニオン遊星歯車である。各出力軸１３は、互いに同軸に配置された回転中心Ｃ１を持つ中空円筒状に形成され、出力要素であるサンギヤ３Ｓ２及びキャリア３Ｃのそれぞれに連結される。かかる歯車装置３において、歯車装置３内の各種軸受３３，３４，３５，３６は、滑らかに動作するために潤滑が必要である。
【００１８】
図１に示す供給構造２０は、歯車装置３に対して潤滑用のオイルを供給するために設けられている。なお、このオイルは軸受３３等の潤滑機能だけでなく、モータの冷却機能も併せ持つ。
【００１９】
本実施形態の供給構造２０は、オイルを貯留する貯留部１８を有するケーシング１５と、ケーシング１５に対して回転可能に支持されるアニュラス部２４（筒状体）と、アニュラス部２４の周面部２４Ｆに貫設された第一開口４０と、第一開口４０にオイルを導くための第一誘導構造とを備える。
【００２０】
アニュラス部２４は、出力軸１３の軸方向と一致する中心軸を持つ筒状体からなり、貯留部１８に貯留されているオイルに部分的に浸漬される。アニュラス部２４は、歯車装置３に含まれるリングギヤ３Ｒと一体で設けられる。なお、本実施形態のリングギヤ３Ｒは、アニュラス部２４の周面部２４Ｆにおける一端側（左側）の内周面に形成されている。ここでいう周面部２４Ｆとは、筒状体としてのアニュラス部２４の本体をなす部位であり、一定の厚み（軸方向寸法）を有する略円筒形状の部位である。アニュラス部２４の内側の空間には、歯車装置３が配設される。すなわち、オイルを供給する対象である歯車装置３（対象物）は、アニュラス部２４の内部空間に位置する。なお、本実施形態のアニュラス部２４の周面部２４Ｆには、リングギヤ３Ｒに動力を伝達する出力歯車２６が一体で設けられる。
【００２１】
本実施形態のアニュラス部２４には、周面部２４Ｆに対して交差する方向に延在する端面部２４Ｅが設けられる。本実施形態の端面部２４Ｅは、周面部２４Ｆの他端側（右側）において周面部２４Ｆと直交する略円形状の平面部として設けられる。上記の出力歯車２６は、この端面部２４Ｅの径方向外側端部に形成される。なお、本実施形態のアニュラス部２４には、端面部２４Ｅから周面部２４Ｆとは反対側（右側）に向かって延びる円筒部２４Ｃが設けられる。円筒部２４Ｃは、出力軸１３の外周面の一部に摺動可能に外嵌される部分であり、ケーシング１５に固定された軸受２５により軸支される。これにより、アニュラス部２４がケーシング１５に対して回転中心Ｃ１を中心にして回転可能に支持される。
【００２２】
ケーシング１５は、左右のモータや歯車装置３等を収容するものである。ケーシング１５は一体ものであってもよいし、複数のパーツが組み合わされて構成されたものであってもよい。歯車装置３は、ケーシング１５内の下部に配置される。
【００２３】
貯留部１８は、ケーシング１５の下部に設けられ、重力によって落下してきたオイルを貯留する容器形状の部位である。図１に示す貯留部１８は、ケーシング１５の底面部分の一部を下方に凹設して形成される。アニュラス部２４は、その一部（周面部２４Ｆの下部）が、貯留部１８内の空間に入り込むように配置される。したがって、アニュラス部２４の一部（周面部２４Ｆの下部）は、貯留部１８に貯留されたオイル内に浸漬され得る。
【００２４】
貯留部１８には吸引口１９が設けられ、吸引口１９にはオイル通路（図示略）が接続される。貯留部１８内のオイルは、この吸引口１９から外部へ吸引され、オイル通路上に介装されたオイルポンプ及びオイルクーラ（何れも図示略）を介して駆動装置１０の上部に設けられた注入口（図示略）から注入される。注入されたオイルは駆動装置１０内の各部を冷却及び潤滑しつつ重力によって落下して、再び貯留部１８に貯留される。
【００２５】
なお、貯留部１８に貯留されるオイルの油面（液面）の高さ位置は、オイルの流れが停止したときに最も高くなり、オイルの循環中に最も低くなる。以下、油面の高さが最も高い位置を「最高油面Ｈ１」と呼び、油面の高さが最も低い位置を「最低油面Ｈ２」と呼ぶ。本実施形態の駆動装置１０では、図１中に破線で示すように、最高油面Ｈ１が出力軸１３の回転中心Ｃ１以上に設定される。また、図１中に点線で示すように、最低油面Ｈ２が少なくとも吸引口１９よりも上方であって、アニュラス部２４が部分的に浸かる位置に設定される。
【００２６】
第一開口４０は、アニュラス部２４の周面部２４Ｆを貫通する孔であり、アニュラス部２４の外周側から内部へオイルを導くための通路として機能する。第一開口４０は、周面部２４Ｆの周方向に複数並設される。本実施形態では、図３に示すように、八個の第一開口４０が、同一の軸方向位置において周方向に等間隔で（すなわち４５度の位相ずれで）配列される。図２に示すように、各第一開口４０は、径方向外側からみて、軸方向に長い長方形状に形成されている。また、図３に示すように、第一開口４０の周方向両側の端面は、径方向及び軸方向に一致する平面として設けられる。すなわち、軸方向から見て、第一開口４０の周方向両側の端面は、回転中心Ｃ１と第一開口４０の径方向外側の縁部とを結んだ仮想的な直線（図３中の一点鎖線Ｌ）と一致する。
【００２７】
なお、図２は、供給構造２０を示す模式的な斜視図であり、図３は図２のＡ−Ａ矢視断面図である。図２及び図３では、アニュラス部２４に一体で設けられるリングギヤ３Ｒ及び出力歯車２６を省略している。また、図３では、アニュラス部２４の内側に配設される歯車装置３を省略している。
【００２８】
第一誘導構造は、アニュラス部２４が所定の回転方向Ｒに回転しているときに、貯留部１８内のオイルを第一開口４０に導き、アニュラス部２４の内側に配設された対象物（ここでは歯車装置３）に対してオイルを供給する機能を持つ。図１〜図３に示すように、本実施形態の第一誘導構造は、第一開口４０ごとに配置されたブレード部５０として設けられる。本実施形態では、第一開口４０ごとに配置された八個のブレード部５０を例示している。
【００２９】
各ブレード部５０は、アニュラス部２４の回転に伴い、貯留部１８のオイル内からオイル外へ出るタイミングでオイルを掬い上げるとともに、第一開口４０の上方に位置したタイミングで、掬い上げたオイルをその第一開口４０に導く。つまり、各ブレード部５０は、オイルを掬い上げたのちそのオイルを落とすことができる形状に形成される。なお、回転方向Ｒは、例えば、車両の前進時におけるアニュラス部２４の回転方向に設定される。
【００３０】
図２及び図３に示すように、ブレード部５０は、アニュラス部２４の周面部２４Ｆの外周面２４ａであって第一開口４０の回転方向Ｒの後側に突設される。本実施形態のブレード部５０には、オイルを掬う面として機能する掬い面部５１及び二つの側面部５４が設けられる。掬い面部５１は、径方向外側から見て、周方向に長い矩形状をなし、周方向の一端部（回転方向Ｒの後側の端部）が外周面２４ａに固定される。一方、掬い面部５１の周方向の他端（回転方向Ｒの前側の先端５１ａ）は、径方向外側から見て、第一開口４０と重なるように配置される。
【００３１】
ブレード部５０の掬い面部５１は、回転方向Ｒの後方から前方に向かって、先端５１ａが外周面２４ａから離隔するように傾斜面として設けられる。二つの側面部５４は、掬い面部５１の軸方向両端部のそれぞれと外周面２４ａとを繋ぐように外周面２４ａから突設される。すなわち、本実施形態のブレード部５０は、回転方向Ｒの前側から見たときにコの字型となっている。このコの字型の端面５２は開口であり、掬い面部５１と両側面部５４と外周面２４ａとの間に形成される空間５３を外部に開放する。
【００３２】
なお、両側面部５４は必須ではなく、省略してもよい。ただし、上記のように側面部５４が設けられることで空間５３の両側面を液密に閉じることが可能であり、これによって、より確実にオイルを掬い上げ、且つ、掬い上げたオイルを空間５３内に保持できる。また、ブレード部５０は、その周方向寸法Ｄ１が軸方向寸法Ｄ２よりも大きいことが好ましい。周方向寸法Ｄ１が大きいほど空間５３が回転方向Ｒに広くなるため、より多くのオイルを掬い上げ、且つ、掬い上げたオイルを空間５３内に保持できる。
【００３３】
また、端面５２の高さ寸法Ｄ３は小さいことが好ましい。掬い面部５１の傾斜度を鋭角に設定することで、アニュラス部２４の回転時にアニュラス部２４等がオイルから受ける抵抗（負荷）の増大が抑制される。また、掬い面部５１は、外周面２４ａに沿う曲面状に形成されることが好ましい。これにより、アニュラス部２４が回転方向Ｒとは逆方向に回転する時（本実施形態では車両の後進時）に、アニュラス部２４の回転が円滑化される。
【００３４】
本実施形態の供給構造２０は、上記の第一誘導構造（ブレード部５０）とは別の、第二の誘導構造を備える。第二誘導構造は、アニュラス部２４が所定の回転方向Ｒに回転しているときに、貯留部１８内のオイルを、アニュラス部２４の端面部２４Ｅ側から対象物（ここでは歯車装置３）に導く機能を持つ。すなわち、アニュラス部２４の端面部２４Ｅには、アニュラス部２４の内部へオイルを導くための通路として機能する第二開口６０が貫設されており、第二誘導構造は、アニュラス部２４の回転時に第二開口６０にオイルを導く。以下、この第二誘導構造について説明する。
【００３５】
図２に示すように、本実施形態の第二誘導構造は、アニュラス部２４の端面部２４Ｅに、回転中心Ｃ１から放射状に延設された複数の羽根部６１と、全ての羽根部６１を径方向中心側で連結する円環部６２とからなるファン構造として設けられる。円環部６２は円筒部２４Ｃと一体回転する。各羽根部６１には、アニュラス部２４が回転方向Ｒに回転しているときに、アニュラス部２４の外側から内側へ向かうオイルの流れＦ１が生じるように、角度が付けられている。これにより、第二誘導構造（ファン構造）は、アニュラス部２４が回転方向Ｒに回転しているときに、軸方向にオイルの流れＦ１を生じさせる軸流ファンとして機能する。
【００３６】
第二開口６０は、端面部２４Ｅの広範囲に亘って貫設された円形状の貫通孔であり、この第二開口６０内に上記の羽根部６１及び円環部６２が位置する。これにより、隣接する二つの羽根部６１の間には、空間（第二開口６０の一部）が設けられる。アニュラス部２４の外側に存在するオイルは、第二誘導構造によって生じた流れＦ１に乗って、第二開口６０を通じてアニュラス部２４の内側に流入する。
【００３７】
［２．第一実施形態の作用］
第一実施形態の供給構造２０は、第一開口４０と、ブレード部５０として設けられた第一誘導構造とを有している。このため、図３に示すように、アニュラス部２４が回転方向Ｒに回転しているとき、各ブレード部５０は、貯留部１８に貯留されたオイル内を通過して、貯留部１８のオイル内からオイル外へ出るタイミングでオイルを掬い上げる。ここで、最低油面Ｈ２は、アニュラス部２４が部分的に浸かる位置に設定されているので、油面の高さが最も低くなるオイルの循環中（例えば車両の運転中）においても確実に、各ブレード部５０はオイルを掬い上げることができる。
【００３８】
ブレード部５０がオイル外へ出てから上昇する過程では、掬い上げられたオイル５５はブレード部５０の空間５３内に保持されている。そして、ブレード部５０は、地点Ｂ１に達したタイミングで、第一開口４０の上方に位置する。したがって、このタイミングで、空間５３内のオイルは、重力によって、ブレード部５０の下方に位置する第一開口４０に導かれ、第一開口４０からアニュラス部２４の内側の空間に落下する。重力によって落下するオイルは、アニュラス部２４の内側に配設された歯車装置３の各種軸受３３，３４，３５，３６等の潤滑箇所に供給された後に、再び貯留部１８に貯留される。
【００３９】
また、第一実施形態の供給構造２０は、図２に示すように、第二開口６０と第二誘導構造（本実施形態ではファン構造）とを有している。アニュラス部２４が回転方向Ｒに回転すると、羽根部６１及び円環部６２もアニュラス部２４と一体で回転する。これにより、貯留部１８に貯留されたオイルに、軸方向からアニュラス部２４の内側に向かう方向の流れＦ１が生じ、この流れＦ１に乗ってオイルが第二開口６０を通じてアニュラス部２４の内側に供給される。ここで、最高油面Ｈ１が出力軸１３の回転中心Ｃ１以上に設定されているため、第二誘導構造によるオイル供給機能はオイルの流れが停止したとき（例えば車両の進行停止中）に特に有効に作用する。
【００４０】
［３．第二実施形態の構成］
次に、第二実施形態のオイル供給構造７０（以下「供給構造７０」という）について、図４及び図５を用いて説明する。なお、図４及び図５はそれぞれ、図２及び図３に対応する図である。本実施形態の供給構造７０は、上記の供給構造２０に対し、第一開口及び第一誘導構造が異なる点を除いて同様に構成されている。以下、図１〜図３を参照して説明した第一実施形態と共通の構成要素については、第一実施形態と共通の符号を付与して、その説明を適宜省略する。
【００４１】
第二実施形態の供給構造７０は、アニュラス部２４の周面部２４Ｆに貫設された第一開口８０と、第一開口８０にオイルを導くための第一誘導構造とを備えている。図４及び図５に示すように、第二実施形態の第一誘導構造は、貯留部１８内であってアニュラス部２４と上下方向に重なる位置に配置された隆起部９０として設けられる。
【００４２】
隆起部９０は、貯留部１８の底面１８ａとアニュラス部２４の外周面２４ａとの間の間隔を狭めてアニュラス部２４の回転に伴うオイルの流れＦ２を妨げる機能を持つ。周面部２４Ｆに接するオイルは、アニュラス部２４が回転するときの慣性力によって回転方向Ｒと同じ方向へ動くため、貯留部１８内のオイルには、上記の流れＦ２が生じる。
【００４３】
本実施形態の隆起部９０は、軸方向から見て回転中心Ｃ１の真下よりも回転方向Ｒの前側に位置し、貯留部１８の底面１８ａから上方へ立設されるとともに軸方向に延びる面状部位として形成されている。このため、隆起部９０の位置での貯留部１８の底面１８ａとアニュラス部２４の外周面２４ａとの間隔Ｇ２は、隆起部９０の位置よりも回転方向Ｒの後側での間隔Ｇ１に比べて、急激に狭くなっている。
【００４４】
図４及び図５に示す隆起部９０は、軸方向から見て貯留部１８の底面１８ａから略垂直に立ち上がる面状部位で形成されているが、隆起部９０の形状はこれに限られない。例えば、軸方向から見て底面１８ａに対して回転方向Ｒの前側に向かって傾斜する後傾姿勢の平面状又は曲面状の隆起部であってもよいし、反対に、底面１８ａに対して回転方向Ｒの後側に向かって傾斜する前傾姿勢の平面状又は曲面状の隆起部であってもよい。
【００４５】
また、図４及び図５に示す隆起部９０は、貯留部１８の底面部分が底上げされた形状に（すなわち隆起部９０が壁面状部位として）形成されているが、隆起部９０の構成はこれに限られない。例えば、貯留部１８の底面部分は平面状に形成され、底面１８ａに上記の間隔を狭める隆起物や壁部が隆起部として設けられていてもよい。
【００４６】
隆起部９０は、図５中に二本の二点鎖線で示す領域Ｓ、すなわちアニュラス部２４と上下方向に重なる位置に配置されていればよい。例えば、隆起部９０が、回転中心Ｃ１の直下に配置されてもよいし、回転中心Ｃ１の直下よりも回転方向Ｒの後側に配置されてもよい。ただし、上記のように隆起部９０が回転中心Ｃ１の直下よりも回転方向Ｒの前側に設けられることで、オイルの流れＦ２が速くなったところでその流れＦ２を妨げることが可能なため、より効率的にオイルを第一開口８０に導くことができる。
【００４７】
第一開口８０は、第一実施形態の第一開口４０と同様の機能を持つ。すなわち、第一開口８０はアニュラス部２４の周面部２４Ｆを貫通する孔であり、アニュラス部２４の外周側から内部へオイルを導くための通路として機能する。第一開口８０の配置及び個数は、上記の第一開口４０と同様である。また、径方向外側から見た第一開口８０の形状も上記の第一開口４０と同様である。ただし、本実施形態の第一開口８０は、図５に示すように、軸方向から見たときの形状が上記の第一開口４０と異なる。
【００４８】
具体的には、図４及び図５に示す各第一開口８０では、アニュラス部２４の外周面２４ａ側の縁部８０ａが内周面２４ｂ側の縁部８０ｂよりも回転方向Ｒの前方に位置している。すなわち、軸方向から見て、第一開口８０の周方向両側の端面は、回転中心Ｃ１と第一開口８０の径方向外側の縁部８０ａとを結んだ仮想的な直線（図５中の一点鎖線Ｌ）に対して、傾斜している。
【００４９】
［４．第二実施形態の作用］
第二実施形態の供給構造７０は、第一開口８０と、隆起部９０として設けられた第一誘導構造とを有しており、隆起部９０の位置での貯留部１８の底面１８ａとアニュラス部２４の外周面２４ａとの間隔Ｇ２が、隆起部９０の位置よりも回転方向Ｒの後側での間隔Ｇ１に比べて、急激に狭くなっている。このため、アニュラス部２４が回転方向Ｒに回転しているときに、アニュラス部２４の慣性力により貯留部１８内のオイルは白抜き矢印Ｆ２の方向へ流れようとするものの、この流れＦ２は隆起部９０により妨げられる。
【００５０】
隆起部９０により流れＦ２が妨げられたオイルは、アニュラス部２４の回転に伴い第一開口８０が隆起部９０に近づいたタイミングで、白抜き矢印Ｆ３で示すように、第一開口８０に導かれる。ここで、最低油面Ｈ２は、アニュラス部２４が部分的に浸かる位置に設定されているので、油面の高さが最も低くなるオイルの循環中（例えば車両の運転中）においても確実に、隆起部９０によって流れＦ２が妨げられたオイルが第一開口８０に導かれる。また、各第一開口８０において外周面２４ａ側の縁部８０ａが内周面２４ｂ側の縁部８０ｂよりも回転方向Ｒの前方に位置しているため、隆起部９０により流れＦ２が妨げられたオイルが第一開口８０からアニュラス部２４の内側へ導かれやすくなっている。
【００５１】
第一開口８０からアニュラス部２４の内側に供給されたオイルは、アニュラス部２４の回転に伴う慣性力や遠心力によってかき回され、一部のオイルはアニュラス部２４の内周面２４ｂに沿って油面よりも上方に導かれたのち重力により落下する。このようなオイルの動きによって、アニュラス部２４の内側に配設された歯車装置３の各種軸受３３，３４，３５，３６等の潤滑箇所に適宜オイルが供給された後に、再び貯留部１８に貯留される。
【００５２】
なお、第二実施形態の供給構造７０においても、第一実施形態と同様、第二開口６０と第二誘導構造（ファン構造）とを有しているので、貯留部１８に貯留されたオイルが流れＦ１に乗って第二開口６０からもアニュラス部２４の内側に供給される。すなわち、本実施形態の供給構造７０においても、径方向と軸方向との二方向からアニュラス部２４の内側へオイルが供給される。
【００５３】
［５．効果］
（１）上述した供給構造２０，７０では、第一誘導構造５０，９０によりアニュラス部２４の周面部２４Ｆに設けた第一開口４０，８０にオイルを導くことで、第一開口４０，８０からアニュラス部２４の内側にオイルを供給できる。したがって、アニュラス部２４の内側にオイルの供給対象物（例えば歯車装置３）が配設された構造において、その対象物にオイルが供給されやすくなる。このため、アニュラス部２４の内側に配設された対象物に対し、十分なオイル供給量を確保することができ、対象物の潤滑性能や冷却性能を向上できる。
【００５４】
（２）上述した第一実施形態の供給構造２０では、アニュラス部２４の外周面２４ａにおいて第一開口４０の回転方向Ｒの後側にブレード部５０が突設されている。このブレード部５０により貯留部１８からオイルを掬い上げ、そのオイルを、重力を利用して第一開口４０からアニュラス部２４の内側に供給できる。したがって、アニュラス部２４の内側に配設された対象物に対しより効率的にオイルを供給できるため、十分なオイル供給量を確保することができる。
【００５５】
（３）一方、上述した第二実施形態の供給構造７０では、貯留部１８内であってアニュラス部２４と上下方向に重なる位置に、貯留部１８の底面１８ａとアニュラス部２４の外周面２４ａとの間の隙間を狭める隆起部９０が設けられている。この隆起部９０により、アニュラス部２４の回転に伴うオイルの流れＦ２が妨げられるため、行き場を失ったオイルが第一開口８０からアニュラス部２４の内側に供給されやすくなる。これにより、アニュラス部２４の内側に配設された対象物に対し、十分なオイル供給量を確保することができる。なお、貯留部１８側に第一誘導構造としての隆起部９０を設けることで、アニュラス部２４の形状を簡素化できるとともに、アニュラス部２４の回転時における抵抗の増大を防止できる。
【００５６】
（４）さらに、上述した第二実施形態の供給構造７０において、第一開口８０は、アニュラス部２４の外周面２４ａ側の縁部８０ａが内周面２４ｂ側の縁部８０ｂよりも回転方向Ｒの前方に位置している。このため、隆起部９０で流れＦ２が妨げられたオイルがより一層、第一開口８０からアニュラス部２４の内側に供給されやすくなる。これにより、アニュラス部２４の内側に配設された対象物に対し、十分なオイル供給量を確保することができる。
【００５７】
（５）また、上述した供給構造２０，７０のアニュラス部２４には、端面部２４Ｅに第二開口６０が貫設されるとともに、第二開口６０にオイルを導く第二誘導構造（羽根部６１及び円環部６２からなるファン構造）が設けられている。このため、アニュラス部２４の内側に配設された対象物に対して、端面部２４Ｅからもオイルを供給できる。これにより、アニュラス部２４の内側に配設された対象物に対し、十分なオイル供給量を確保することができ、対象物の潤滑性能や冷却性能をより一層向上できる。
【００５８】
（６）また、上述した供給構造２０，７０では、車両に搭載された歯車装置３をオイルの供給対象となる対象物としており、アニュラス部２４が歯車装置３に含まれるリングギヤ（内歯車）３Ｒと一体で設けられている。言い換えると、遊星歯車機構の一要素であるリングギヤ３Ｒが筒状体である場合に、上述した供給構造２０，７０を適用することで、この内側に配設されるサンギヤ３Ｓ１，３Ｓ２，キャリア３Ｃやこれらを支持する軸受３３〜３６に対し、十分なオイル供給量を確保することができる。したがって、歯車装置３の潤滑性能を向上でき、駆動装置１０の性能向上を図ることができる。
【００５９】
［６．その他］
上述した供給構造２０，７０の構造は一例であって、上述したものに限られない。
第一実施形態のブレード部５０の掬い面部５１は、図２及び図３に示す傾斜面状に限られず、例えば径方向外側から見てＬ字形状など、回転中心Ｃ１から延びる放射線方向（径方向）の成分と回転方向の成分とを有する形状であれば、どのような形状であってもよい。
【００６０】
また、各実施形態においてアニュラス部２４の周面部２４Ｆに設ける第一開口４０，８０の個数や形状は図示の例に限定されるものではなく、オイル供給性能とアニュラス部２４として機能するために必要な強度の確保とのバランスで適宜に設定されてよい。
【００６１】
また、各実施形態の供給構造２０，７０には、第一開口４０，８０及び第一誘導構造５０，９０により径方向からオイルを導く構成と、第二開口６０及び第二誘導構造により軸方向からオイルを導く構成との二種類が設けられているが、少なくとも一方の構成が設けられていればよい。
【００６２】
また、オイルの供給対象として歯車装置３の構成は各実施形態に例示されたダブルピニオン遊星歯車に限られず、様々な構成の遊星歯車機構や遊星歯車機構以外の機構を採用可能である。また、オイルの供給対象としての歯車装置３は、トルク差を増幅して左右輪の各々に伝達する機能を持つものに限られず、トルク差を増幅する機能を持たず、左右輪のトルクを振り分けて伝達する差動装置であってもよい。
【００６３】
また、上述した供給構造２０，７０は、車両の駆動装置１０の歯車装置３に対するオイルの供給のみならず、筒状体の内側に配設された対象物に対してオイルを供給する構造であれば、どのような装置にも適用可能である。例えばアウターローター型モータに対してオイル供給構造２０を適用してもよい。この場合、オイル供給構造２０は、アウターローター内に収納されたステータ等の冷却対象に冷却用のオイルを供給する機能を果たす。なお、車両以外の物体にオイル供給構造を設ける場合であっても、重力の方向を下方と定めればよい。
【符号の説明】
【００６４】
３  歯車装置（対象物）
１５  ケーシング
１８  貯留部
２０，７０  供給構造（オイル供給構造）
２４  アニュラス部（筒状体）
２４ａ  外周面
２４Ｆ  周面部
３Ｒ  リングギヤ（内歯車）
４０，８０  第一開口
５０  ブレード部（第一誘導構造）
６０  第二開口
６１  羽根部（第二誘導構造）
６２  円環部
９０  隆起部（第一誘導構造）
【図１】
2020159366.tif 000003
【図２】
2020159366.tif 000004
【図３】
2020159366.tif 000005
【図４】
2020159366.tif 000006
【図５】
2020159366.tif 000007